(57)【要約】【課題】小型の火災警報器を備えたセキュリティインターホンシステムを提供する。【解決手段】ドアホン子機３００と通話可能に住戸内に設置されたインターホン親機２００と互いに通信を行う１つ以上の火災警報器４００ａ，４００ｂとからなり、火災警報器４００は、火災に関わる物理量を測定する物理量測定回路４４０と、信号送信回路４５０と、音声を発生する音声信号増幅回路４７０とを備え、インターホン親機２００には火災判断回路２１０ａと、警報を発するスピーカ音発生回路２００ｄとを備える。火災警報器４００で測定した熱や煙などの火災に関わる物理量をインターホン親機２００の火災判断回路２１０ａに送信して火災が発生しているか否かを判断することにより、火災警報器４００に火災判断回路を備える必要が無く、これにより、火災警報器４００を小型化することができる。【選択図】図１
2009177745.tif 000002
【特許請求の範囲】
【請求項１】
屋外に設置されるドアホン子機と通話可能に屋内に設置されたインターホン親機と、当該インターホン親機と互いに通信を行う１つ以上の火災警報器とで構成され、
火災警報器は、火災に関わる物理量を測定する物理量測定手段と、物理量測定手段が測定した物理量に応じた測定信号をインターホン親機に送信する測定信号送信手段と、インターホン親機から送信された警報信号に基づいて警報を発する第１の警報発生手段とを備え、
インターホン親機は、火災警報器から送信された測定信号に基づいて火災が発生したか否かを判断する火災判断手段と、火災判断手段で火災が発生したことを判断したときに、警報を発する第２の警報発生手段と、火災判断手段で火災が発生したことを判断したときに、各火災警報器に警報信号を送信する警報信号送信手段とを備えることを特徴とするセキュリティインターホンシステム。
【請求項２】
前記インターホン親機と、前記火災警報器とは、２線式信号線を介して互いに並列接続されており、
インターホン親機は、各火災警報器に信号線を介して駆動電圧を供給する電力供給手段を備え、火災警報器は供給された駆動電圧で動作し、
前記測定信号送信手段は、駆動電圧に測定信号を重畳させてインターホン親機に送信し、
前記警報信号送信手段は、駆動電圧に警報信号を重畳させて各火災警報器に送信することを特徴とする請求項１に記載のセキュリティインターホンシステム。
【請求項３】
前記警報信号は音声信号であることを特徴とする請求項１または２に記載のセキュリティインターホンシステム。
【発明の詳細な説明】
【技術分野】
【０００１】
本発明は、セキュリティインターホンシステムに関するものである。
【背景技術】
【０００２】
従来から、住戸内に設置されたインターホン親機と、玄関などに設置されて、来訪者がボタンを操作することによりインターホン親機から呼出音を発生し、そして住戸内のユーザーと通話するドアホン子機とからなるインターホンシステムに火災警報器を接続し、住戸内で火災が発生したときには、火災警報器とインターホン親機とから警報音を発生させるようにしたセキュリティインターホンシステムが提供されている。
【０００３】
このようなセキュリティインターホンシステムは図３に示すようなものが提供されている。図３のセキュリティインターホンシステムは、住戸内の壁面などに設置されたインターホン親機９１０と、玄関などに設置され、信号線９４０を介してインターホン親機９１０と互いに通信可能に接続されたドアホン子機９２０と、住戸の台所や居間などの各部屋にそれぞれ設置されて、信号線９５０を介してインターホン親機９１０と通信を行う一つ以上の火災警報器９３０（９３０ａ，９３０ｂ，・・・）とからなる。
【０００４】
インターホン親機９１０は、ドアホン子機９２０とともにインターホンシステムを構成しており、来訪者はドアホン子機９２０の操作ボタン９２１を押下することによってインターホン親機９１０のスピーカから呼出音を発生させ、また、表示パネル９１３には来訪者がいることを表示させる。インターホン親機９１０からの呼出音に気づいた住戸内のユーザーは、インターホン親機９１０の通話ボタン９１１を押下して、ドアホン子機９２０との通話回線を接続し、来訪者と通話を行う。
【０００５】
また、インターホン親機９１０は、火災警報器９３０とともにセキュリティシステムを構成している。火災警報器９３０は、熱や煙などの火災の発生に関わる物理量（以下、火災物理量と称す。）を測定し、その測定結果から、火災警報器９３０の内部に設けられた信号処理部（図示せず）で住戸内の火災の発生の有無を判断している。そして、住戸内で火災が発生し、火元付近に設置されている火災警報器９３０が火災物理量の変化から火災の発生を検知すると警報を発し、さらにインターホン親機９１０に火災発生信号を送信する。火災発生信号を受けたインターホン親機９１０は警報を発し、さらに火元以外の火災警報器９３０に火災発生信号を送信する。そして、インターホン親機９１０から送信された火災発生信号を受けた火元以外の火災警報器９３０でも警報を発する。
【０００６】
ユーザーは、インターホン親機９１０と火災警報器９３０とから発せられる警報により、住戸内で火災が発生していることを知り、また、インターホン親機９１０の警報停止ボタン９１４を押すことにより、インターホン親機９１０と火元以外の火災警報器９３０を停止させ、火元の火災警報器９３０の警報のみを発生させ続けることにより住戸内の火元を特定することができる。（例えば、特許文献１参照）。
【特許文献１】特開昭５９−２０１１９４号公報
【発明の開示】
【発明が解決しようとする課題】
【０００７】
ところで、従来のセキュリティインターホンシステムの火災警報器は、火災物理量に基づいて火災の発生を判断する信号処理部を各々備えており、火災警報器が大型化していた。しかしながら、火災警報器自体は天井面などに取り付けられるため、部屋の美観などを考慮するとできる限り存在感が無いもの、つまり、小型のものが望まれていた。
【０００８】
本発明は、上記事由に鑑みてなされたものであり、その目的は、小型の火災警報器を備えたセキュリティインターホンシステムを提供することにある。
【課題を解決するための手段】
【０００９】
請求項１の発明は、屋外に設置されるドアホン子機と通話可能に屋内に設置されたインターホン親機と、当該インターホン親機と互いに通信を行う１つ以上の火災警報器とで構成され、火災警報器は、火災に関わる物理量を測定する物理量測定手段と、物理量測定手段が測定した物理量に応じた測定信号をインターホン親機に送信する測定信号送信手段と、インターホン親機から送信された警報信号に基づいて警報を発する第１の警報発生手段とを備え、インターホン親機は、火災警報器から送信された測定信号に基づいて火災が発生したか否かを判断する火災判断手段と、火災判断手段で火災が発生したことを判断したときに、警報を発する第２の警報発生手段と、火災判断手段で火災が発生したことを判断したときに、各火災警報器に警報信号を送信する警報信号送信手段とを備えることを特徴とする。
【００１０】
この発明によると、各火災警報器で測定した火災に関わる物理量の測定結果に基づいて火災が発生しているか否かを判断する火災判断手段をインターホン親機が備えているため、火災警報器には、火災の発生を判断する手段は必要なく、これにより火災警報器を小型化することができる。
【００１１】
請求項２の発明は、請求項１において、インターホン親機と、火災警報器とは、２線式信号線を介して互いに並列接続されており、インターホン親機は、各火災警報器に信号線を介して駆動電圧を供給する電力供給手段を備え、火災警報器は供給された駆動電圧で動作し、測定信号送信手段は、駆動電圧に測定信号を重畳させてインターホン親機に送信し、警報信号送信手段は、駆動電圧に警報信号を重畳させて各火災警報器に送信することを特徴とする。
【００１２】
この発明によると、インターホン親機と火災警報器とは、２線式信号線を介して互いに並列接続されていることから、配設時の施工性が向上し、省スペースで配線を配設することができる。また、インターホン親機が各火災警報器に駆動電圧を供給するので、各火災警報器には電源回路を設ける必要がなく、これにより、火災警報器を小型化することができる。さらに、各火災警報器からインターホン親機に送信される測定信号は駆動電圧に重畳され、また、インターホン親機から各火災警報器に送信される警報信号は駆動電圧に重畳されて送信されるため、電力線と信号線とを別途に配設する必要がなく、これにより配線時の施工性が向上し、省スペースで配線を配設することができる。
【００１３】
請求項３の発明は、請求項１または２において、前記警報信号は音声信号であることを特徴とする。
【００１４】
この発明によると、ユーザーは音声を聞くことによって火災の発生を知ることができるため、速やかに火災の発生に対応することができる。
【発明の効果】
【００１５】
以上説明したように、本発明では、小型の火災警報器を備えたセキュリティインターホンシステムを得ることができるという効果がある。
【発明を実施するための最良の形態】
【００１６】
以下、本発明の実施の形態を図面に基づいて説明する。
【００１７】
（実施形態）
本実施形態のセキュリティインターホンシステムを、図１，２を用いて説明する。図１は、本実施形態のセキュリティインターホンシステム１００のハード構成を示すブロック図であり、図２は、システム構成図である。本実施形態のセキュリティインターホンシステム１００は、図２に示すように、住戸内の壁面などに設置されたインターホン親機２００と、玄関などに設置され、２線式信号線５００を介してインターホン親機２００と互いに通信可能に接続されたドアホン子機３００と、住戸の台所や居間などの各部屋の天井などに設置されて、２線式信号線６００を介してインターホン親機２００と通信を行う複数の火災警報器４００（４００ａ，４００ｂ・・・）とからなる。
【００１８】
インターホン親機２００は、各回路からの信号を処理するＣＰＵからなる信号処理部２００ａと、信号処理部２００ａに設けられた火災判断回路２１０ａと、ドアホン子機３００との間で通話を行うための通話回路２００ｃと、音を発するための音発生回路２００ｄ（第２の警報発生手段）と、音を出力させるためのスピーカ２００ｂと、スピーカ２００ｂの接続を通話回路２００ｃまたは音発生回路２００ｄに切り替える切替器２００ｅと、ドアホン子機３００との通話時に音声を入力するためのマイクロホン２００ｆと、ドアホン子機３００と通話可能とするための信号を出力する通話ボタン２００ｇと、ドアホン子機３００から２線式信号線５００を介して伝送された呼び出し信号を検知する呼出検知回路２００ｈと、音発生回路２００ｄから発せられる警報を停止させる警報停止ボタン２００ｉと、外部の商用電源７００から直流の駆動電圧を生成する電源回路２００ｓと、各火災警報器４００に２線式信号線６００を介して駆動電圧を供給する電源供給回路２００ｋと、各火災警報器４００に送信する制御信号を生成し、制御信号を高周波変調して出力する制御信号生成回路２００ｕと、２線式信号線６００から音声帯域よりも高い所定の高周波帯域の信号のみを通過させるフィルタ回路２００ｍと、音声信号を生成する音声信号生成回路２００ｎと、駆動電圧に音声信号や高周波変調された制御信号、またはその両方を重畳させて送信する信号送信回路２００ｐとを備える。そして、上記各回路の動作は信号処理部２００ａによって制御される。
【００１９】
火災警報器４００は、２線式信号線６００から音声帯域よりも高い所定の高周波帯域の制御信号のみを通過させるフィルタ回路４１０と、各火災警報器４００にあらかじめ付与されている固有のアドレスを記憶し、インターホン親機２００から送信される制御信号を、フィルタ回路４１０を介して受信する制御信号判定回路４３０と、熱検知部や煙検知部を備えて熱や煙などの火災に関わる物理量（以下、火災物理量と称す。）を測定する物理量測定回路４４０と、高周波変調した信号を２線式信号線の駆動電圧に重畳させてインターホン親機２００に送信する信号送信回路４５０と、音声帯域の音声信号のみを通過させるフィルタ回路４６０と、フィルタ回路４６０を介して受信した音声信号を増幅する音声信号増幅回路４７０（第１の警報発生手段）と、音声信号増幅回路４７０からの音声を発するスピーカ４８０と、スピーカ４８０から発する警報を停止する際にユーザーが操作する警報停止紐４９０とを備える。
【００２０】
インターホン親機２００は、ドアホン子機３００との間で通話を行うインターホン機能を有しており、来訪者がドアホン子機３００の呼出ボタン３１０を操作することにより呼び出し信号が発生し、この呼び出し信号を呼出検知回路２００ｈで検知すると、信号処理部２００ａは、切替器２００ｅを音発生回路２００ｄ側に切り替えて、音発生回路２００ｄとスピーカ２００ｂとを接続し、スピーカ２００ｂから呼出音が出力される。
【００２１】
ここに呼出音が出力される時間はタイマーによって計時されており、所定時間内に通話ボタン２００ｇが操作されない場合は、タイムアップして終了する。一方、所定時間内に通話ボタン２００ｇが操作されると、信号処理部２００ａは、切替器２００ｅを通話回路２００ｃ側に切り替えて、通話回路２００ｃとスピーカ２００ｂとを接続し、ドアホン子機３００の呼出ボタン３１０を操作した来訪者とマイクロホン２００ｆ及びスピーカ２００ｂを介して通話する。
【００２２】
また、インターホン親機２００は、上記インターホン機能を有するとともに、各火災警報器４００に要求信号を順次送信し、要求信号を受信した火災警報器４００が火災物理量の測定データをインターホン親機２００に返信して、インターホン親機２００はこの返信された測定信号により各火災警報器４００付近での火災の発生を順次判断する。すなわち、インターホン親機２００は、ポーリング方式で各火災警報器４００からの測定信号を取得している。
【００２３】
図１に示すように、インターホン親機２００の電源回路２００ｓは、商用電源７００から自己の駆動電圧を生成するだけでなく、電源供給回路２００ｋから２線式信号線６００を介して各火災警報器４００に駆動電圧を供給している。このような本実施形態のセキュリティインターホンシステム１００は、インターホン親機２００が各火災警報器４００に駆動電圧を供給するので、各火災警報器４００に電源回路を設ける必要がない。したがって、火災警報器４００を小型化することができる。また、火災警報器４００には商用電源７００からの電源線を導入する必要がないので、配線時の施工性を向上させることができる。
【００２４】
まず、インターホン親機２００の制御信号生成回路２００ｕは、送信元であるインターホン親機２００のアドレスと、送信先である火災警報器４００のアドレスと、火災物理量の測定データの返信命令コードを含む要求信号を生成し、ＡＳＫ（Ａｍｐｌｉｔｕｄｅ  Ｓｈｉｆｔ  Ｋｅｙｉｎｇ）変調により要求信号を高周波変調する。そして、インターホン親機２００の信号送信回路２００ｐは、高周波変調された要求信号を駆動電圧に重畳させて、２線式信号線６００を介して各火災警報器４００に送信する。
【００２５】
次に、各火災警報器４００では、２線式信号線６００からフィルタ回路４１０を介して高周波変調された要求信号のみを通過させて、制御信号判定回路４３０が要求信号を復調し、記憶している自己のアドレスと要求信号に含まれる送信先アドレスとを比較して、両アドレスが同一であるか否かを判定する。
【００２６】
そして、要求信号に含まれる送信先アドレスと同一のアドレスを有する火災警報器４００は、自己宛の要求信号であると判断し、信号送信回路４５０は、送信元である自器のアドレスと、送信先であるインターホン親機２００のアドレスと、物理量測定回路４４０が測定した火災物理量のデータとを含む測定信号を生成し、ＡＳＫ変調により測定信号を高周波変調して駆動電圧に重畳し、インターホン親機２００に送信する。
【００２７】
一方、要求信号に含まれる送信先アドレスと制御信号判定回路４３０に記憶されているアドレスとが異なる他の火災警報器４００では、自己宛の要求信号ではないと判断して信号送信回路４５０が測定信号の生成を行わない。
【００２８】
このようにして、インターホン親機２００は、上記要求信号を各火災警報器４００に順次送信し、各火災警報器４００から測定信号を順次受信する。
【００２９】
測定信号を受信したインターホン親機２００では、フィルタ回路２００ｍが、２線式信号線６００から高周波変調された測定信号のみを通過させて、信号処理部２００ａの火災判断回路２１０ａで復調し、測定信号に含まれる送信元アドレスから、どの火災警報器４００からの送信であるかを識別し、測定信号に含まれる火災物理量のデータに基づいて送信元の火災警報器４００の付近で火災が発生しているか否かの判断を行う。
【００３０】
ここで、住戸内の火災警報器４００ａの付近から火災が発生し、インターホン親機２００の火災判断回路２１０ａが、火災警報器４００ａから受信した測定信号に基づいて火災の発生があると判断したときには、インターホン親機２００の切替器２００ｅを通話回路２００ｃから音発生回路２００ｄに切り替えて、音発生回路２００ｄとスピーカ２００ｂとを接続した後、音発生回路２００ｄを起動して、スピーカ２００ｂから、例えば、「火災警報器が作動しました。確認してください。」といった音声を発生させて、火災の発生を音声で報知する。
【００３１】
それとともに、インターホン親機２００では、音声信号生成回路２００ｎが音声信号（数百〜数ｋＨｚ程度の音声帯域）を生成し、信号送信回路２００ｐが音声信号を駆動電圧に重畳し２線式信号線６００に出力する。
【００３２】
そして、全火災警報器４００では、フィルタ回路４６０が、２線式信号線６００から音声信号のみを通過させて、音声信号増幅回路４７０で音声信号を増幅してスピーカ４８０から火災の発生を音声で報知する。このとき、火災警報器４００では、例えば、「火事です。火事です。」といった音声を発する。
【００３３】
このような本実施形態のセキュリティインターホンシステム１００において、ユーザーは、インターホン親機２００のスピーカ２００ｂや、火災警報器４００のスピーカ４８０から発せられる火災警報によって、住戸内の火災の発生を知ることができ、これにより速やかに火災の発生に対応することができる。
【００３４】
また、インターホン親機２００の警報停止ボタン２００ｉを押すと、インターホン親機２００の音発生回路２００ｄが動作を停止し、スピーカ２００ｂの警報出力を停止させる。さらに、インターホン親機２００の制御信号生成回路２００ｕは、送信元であるインターホン親機２００のアドレスと、送信先である火元以外の火災警報器４００のアドレスと、警報停止コードとを含んだ警報停止信号を生成し、ＡＳＫ変調により警報停止信号を高周波変調し、信号送信回路２００ｐが、高周波変調された警報停止信号を駆動電圧に重畳させて、２線式信号線６００を介して火元でないすべての火災警報器４００に順次送信する。
【００３５】
あるいは、いずれかの火災警報器４００の警報停止紐４９０を操作すると、火災警報器４００の信号送信回路４５０は、送信元である火災警報器４００のアドレスと、送信先であるインターホン親機２００のアドレスと、警報停止コードとを含む警報停止信号を生成して、ＡＳＫ変調により警報停止信号を高周波変調し、駆動電圧に重畳してインターホン親機２００に送信する。インターホン親機２００では、フィルタ回路２００ｍが２線式信号線６００から高周波変調された制御信号のみを通過させ、信号処理部２００ａで復調する。そして、制御信号に含まれる警報停止信号に基づいて音発生回路２００ｄが動作を停止し、スピーカ２００ｂからの警報出力を停止させる。さらに、インターホン親機２００の制御信号生成回路２００ｕは、送信元であるインターホン親機２００のアドレスと、送信先である火元以外の火災警報器４００のアドレスと、警報停止コードとを含んだ警報停止信号を生成し、ＡＳＫ変調により警報停止信号を高周波変調する。そして、インターホン親機２００の信号送信回路２００ｐでは、高周波変調された警報停止信号を駆動電圧に重畳させて、２線式信号線６００を介して火元でないすべての火災警報器４００に順次送信する。
【００３６】
そして、上記警報停止信号を受信した火災警報器４００では、２線式信号線６００から高周波変調された警報停止信号のみをフィルタ回路４１０を介して通過させ、制御信号判定回路４３０で復調し、制御信号判定回路４３０に記憶されている自己のアドレスと警報停止信号に含まれている送信先アドレスとを比較して、その両アドレスが同一であるか否かを判定する。
【００３７】
警報停止信号に含まれる送信先アドレスと同一のアドレスを有する火元でない火災警報器４００では、制御信号判定回路４３０が音声信号増幅回路４７０からの音声信号の出力を停止させる。一方、火元の火災警報器４００ａでは、警報停止信号に含まれる送信先アドレスと同一のアドレスでないため、火災警報の出力を継続する。
【００３８】
なお、上記のように警報動作中も、インターホン親機２００はポーリング方式で各火災警報器４００からの測定信号を取得し、火災の発生の有無の判断を行っている。
【００３９】
その後、消火などにより住戸内の火災が収まり、インターホン親機２００の火災判断回路２１０ａが、火元の火災警報器４００ａの信号送信回路４５０から送信される測定信号から火災の発生がないと判断すると、インターホン親機２００の音声信号生成回路２００ｎは音声信号の生成を停止する。これにより、音声信号は駆動電圧に重畳されず、火元の火災警報器４００ａから発していた音声による火災警報も停止する。
【００４０】
このような本実施形態のセキュリティインターホンシステム１００は、各火災警報器４００が測定した火災物理量から測定信号を生成し、当該測定信号を駆動電圧に重畳してインターホン親機２００に送信し、インターホン親機２００の火災判断回路２１０ａは、受信した測定信号に基づいて送信元の火災警報器４００で火災が発生したか否かを判断するため、火災警報器４００の各々に火災が発生したか否かを判断する信号処理部を備える必要がない。これにより、火災警報器４００を小型化することができ、また、火災警報器４００の低コスト化を図ることができる。
【００４１】
また、火災警報器４００に要求信号を送信した後、測定信号が所定時間内に返信されないときには、火災警報器４００の故障または２線式信号線６００の断線が発生したと判断することができる。これにより、火災警報器４００または２線式信号線６００の異常を常に検知することができる。
【００４２】
さらに、本実施形態のセキュリティインターホンシステム１００は、インターホン親機２００と火災警報器４００との間で授受される制御信号（要求信号，警報停止信号）及び測定信号や、インターホン親機２００から火災警報器４００に送信される音声信号を駆動電圧に重畳させて、２線式信号線６００を介して送信するため、インターホン親機２００と火災警報器４００とを接続する信号線を別途設ける必要がない。これにより、インターホン親機２００と火災警報器４００とを接続する配線を省スペースで配設することができ、また、複数の配線を用いないため、施工性を向上させることができる。
【００４３】
また、インターホン親機２００の警報停止ボタン２００ｉ及び火災警報器４００の警報停止紐４９０のいずれかを操作することにより、インターホン親機２００及び火元以外の火災警報器２００の火災警報を停止させ、火元の火災警報器４００ａからの火災警報のみを発生させ続けることができるので、ユーザーは住戸内の火元がどこであるかを容易に特定することができる。
【００４４】
なお、本実施形態のインターホン親機２００の信号送信回路２００ｐ及び火災警報器４００の信号送信回路４５０において、要求信号や警報停止信号などの制御信号及び測定信号に対してＡＳＫ変調を行っているが、ＦＳＫ（Ｆｒｅｑｕｅｎｃｙ  Ｓｈｉｆｔ  Ｋｅｙｉｎｇ）変調などの他の変調方式を用いてもよい。
【００４５】
また、本実施形態のインターホン親機２００及び火災警報器４００から火災警報を発生させる構成に加えて、ドアホン子機３００から火災の発生を知らせる音声を発生させる構成を加えることにより、住戸外にも火災警報を出力する機能を有することとなり、火災の発生に対してより迅速に対応することができる。
【図面の簡単な説明】
【００４６】
【図１】実施形態のセキュリティインターホンシステムを示すブロック図である。
【図２】同上の構成図である。
【図３】従来のセキュリティインターホンシステムの構成図である。
【符号の説明】
【００４７】
１００      セキュリティインターホンシステム
２００      インターホン親機
２００ａ    信号処理部
２００ｄ    音発生回路（第２の警報発生手段）
２００ｐ    信号送信回路
２１０ａ    火災判断回路
３００      ドアホン子機
４００ａ    火災警報器
４００ｂ    火災警報器
４４０      物理量測定回路
４５０      信号送信回路
４７０      音声信号増幅回路（第１の警報発生手段）
６００      ２線式信号線
【図１】
2009177745.tif 000003
【図２】
2009177745.tif 000004
【図３】
2009177745.tif 000005